(57)【特許請求の範囲】
【請求項１】
ノート、ファイル或いはバインダー等を被着体として当該被着体の端部に着脱自在に設けられた筆記具ホルダーであって、
前記被着体を挟み込む一対の挟持部材と、これら挟持部材間に位置して当該挟持部材を相互に連結する連結部材と、一方の挟持部材から前記連結部材に掛け回された保持部材とを備え、
前記保持部材と挟持部材との間、及び保持部材と連結部材との間に筆記具を挿入した状態で当該筆記具を保持可能に設けたことを特徴とする筆記具ホルダー。
【請求項２】
ノート、ファイル或いはバインダー等を被着体として当該被着体の端部に着脱自在に設けられた筆記具ホルダーであって、
前記被着体を挟み込む一対の挟持部材と、これら挟持部材間に位置して当該挟持部材を相互に連結する連結部材と、一方の挟持部材から前記連結部材を回って他方の挟持部材に掛け回された保持部材とを備え、
前記保持部材と挟持部材との間、及び保持部材と連結部材との間に筆記具を挿入した状態で当該筆記具を保持可能に設けたことを特徴とする筆記具ホルダー。
【請求項３】
前記挟持部材及び連結部材の少なくとも一方の外面側は、筆記具の外周形状に倣って凹む曲面形状に設けられていることを特徴とする請求項１又は２記載の筆記具ホルダー。
【請求項４】
前記挟持部材の内側には、前記被着体への装着時のガイド片が設けられていることを特徴とする請求項１，２又は３記載の筆記具ホルダー。
【請求項５】
前記保持部材は伸縮可能な帯状部材により構成されていることを特徴とする請求項１，２，３又は４記載の筆記具ホルダー。
【発明の詳細な説明】
【０００１】
【発明の属する技術分野】
本発明は筆記具ホルダーに係り、更に詳しくは、ノート、ファイル或いはバインダー等の端部領域に筆記具を一体的に保持することのできる筆記具ホルダーに関する。
【０００２】
【従来の技術】
従来より、ノート、ファイル或いはバインダー等を被着体として、当該被着体の端部に筆記具を一体的に保持可能とする筆記具ホルダーが知られている。この筆記具ホルダーとしては、例えば、図６及び図７に示されるタイプのものが存在する。同筆記具ホルダー５０は、ノート５１の端部に着脱自在となっており、当該ノート５１を挟み込み可能な一対の挟持板５３，５３と、これら挟持板５３の端部間に連なる連結板５４と、一方の挟持板５３の外面側に閉ループ状に設けられた保持帯５５とにより構成されている。
【０００３】
前記筆記具ホルダー５０によれば、保持帯５５に筆記具Ｐを挿入することによって、当該筆記具Ｐをノート５１に一体的に保持することが可能となる。
【０００４】
【発明が解決しようとする課題】
しかしながら、従来の筆記具ホルダー５０にあっては、筆記具Ｐの一部がノート５１の端部位置から大きく突出してしまい、ノート５１の持ち運びに際して突出した領域が邪魔になるという不都合がある。また、ノート５１を書棚等に立て掛ける場合には、筆記具Ｐが書棚の背面側にぶつかってしまい、ノート５１の前端側が書棚から大きく突出してしまうという不都合がある。
【０００５】
【発明の目的】
本発明は、このような不都合に着目して案出されたものであり、その目的は、筆記具の装着位置を選択的に変えることができ、ノート等の被着体の持ち運びや収納に際して筆記具の存在が邪魔になることのない筆記具ホルダーを提供することにある。
【０００６】
【課題を解決するための手段】
前記目的を達成するため、本発明は、ノート、ファイル或いはバインダー等を被着体として当該被着体の端部に着脱自在に設けられた筆記具ホルダーであって、
前記被着体を挟み込む一対の挟持部材と、これら挟持部材間に位置して当該挟持部材を相互に連結する連結部材と、一方の挟持部材から前記連結部材に掛け回された保持部材とを備え、
前記保持部材と挟持部材との間、及び保持部材と連結部材との間に筆記具を挿入した状態で当該筆記具を保持可能に設け、という構成を採っている。このような構成とすれば、連結部材の外面側に筆記具を保持したときに、当該筆記具の軸線方向が被着体の端縁延出方向に一致する位置をとることになる。従って、従来のように筆記具の軸線が被着体の端縁に対して直交する方向に大きく突出することがなくなり、筆記具を一体に保持した状態で被着体を持ち運びする場合でも、筆記具が邪魔になるという不都合を解消することができる。しかも、この状態では、筆記具が被着体の面内に位置しないため、書棚に収納する際の不都合も解消される。また、筆記具を挟持部材と保持部材との間に保持したときは、筆記具が被着体の面内に位置することとなる。従って、この場合には、被着体の端部よりも外側に筆記具がはみ出ることがないため、被着体をかばん等に収納して持ち運ぶ場合に有利となる。
【０００７】
本発明において、前記保持部材は、一方の挟持部材から前記連結部材を回って他方の挟持部材に掛け回されるように構成することが好ましい。このような構成とすれば、連結部材の外側に保持した筆記具を挟持部材側に移動する際に、表裏何れかの挟持部材に移動すればよいことになる。
【０００８】
【発明の実施の形態】
本発明における前記挟持部材及び連結部材の少なくとも一方の外面側は、筆記具の外周形状に倣って凹む曲面形状に設けることが好ましい。このように構成すれば、挟持部材と保持部材との間、或いは、連結部材と保持部材との間に筆記具を保持したときに、当該筆記具が曲面部分に収まるようになり、筆記具の軸線位置を安定的に保った保持が可能となる。
【０００９】
また、前記挟持部材の内側には、前記被着体への装着時のガイド片が設けられる、という構成も採用することができる。この構成では、一対の挟持部材が相互に接近する方向に弾性付与されて挟持力を発生するタイプとした場合に、被着体に無理なく筆記具ホルダーを装着することができる。
【００１０】
更に、前記保持部材は伸縮可能な帯状部材により構成するとよい。このような構成とすれば、筆記具の軸部分に対してある程度の広がりを持った面で保持できるようになり、筆記具の安定した保持を実現することができる。
【００１１】
【実施例】
以下、本発明の実施例を図面を参照しながら説明する。
【００１２】
図１には、本実施例に係る筆記具ホルダーがノートに適用された概略斜視図が示され、図２には、筆記具ホルダーの拡大斜視図が示されている。これらの図において、被着体としてのノート１０の自由端側端部に筆記具ホルダー１１が装着され、この筆記具ホルダー１１に筆記具Ｐが保持されている。
【００１３】
前記筆記具ホルダー１１は、図３にも示されるように、ノート１０の端部を挟み込む一対の挟持部材としての挟持板１５，１５と、これら挟持板１５の端部間に連なる連結部材としての連結板１６と、一方の挟持板１５から連結板１６を回って他方の挟持板１５に掛け回された保持部材としての帯状部材１７とを備えて構成されている。ここで、挟持板１５及び連結板１６は、一枚の金属板をプレス成形することによって一体成形品として形成されている。
【００１４】
挟持板１５及び連結板１６は、市販されているダブルクリップの本体部と略同様の構成となっている。すなわち、各挟持板１５の反連結板側端部は相互に接近若しくは接触する程度の位置を初期位置とし、これらを強制的に開いたときに生ずる復帰力がノート１０を挟み付ける力として作用するようになっている。また、前記反連結側端部は、断面略円形となるように板金加工される軸受部１９が図３中紙面直交方向に沿って二箇所に配置されており、この軸受部１９に軸２０が挿通されている。各挟持板１５における二箇所の軸受部１９間には、帯状部材１７の端部保持片２１が挟持板１５に連なって形成されており、この端部保持片２１と挟持板１５との間に帯状部材１７の各端部を挟むようにして当該帯状部材１７の端部が固定されている。なお、本実施例では、帯状部材１７はゴム製のバンドが採用され、この帯状部材１７は、筆記具Ｐを挟み込んだときに、弛みなく筆記具Ｐの外周面に若干の締付力を付与する程度の長さに設けられている。
【００１５】
前記挟持板１５及び連結板１６の内面側には、これらに略密着したガイド片２２が配置され、当該ガイド片２２の端部は挟持板１５の図３中左端部よりも外側に延びる摘み片部２２Ａ，２２Ａを備えて形成されている。ガイド片２２は、一方が他方よりも短かく設けられており、当該短い摘み片部２２Ａは、長い摘み片部２２Ａに対して次第に離間する方向に傾斜した形状に設けられ、これにより、筆記具ホルダー１１をノート１０の端部に装着する際の差し込み用の案内が容易且つスムースに行えるようになっている。
【００１６】
前記連結板１６は、図３に示されるように、筆記具Ｐの外周面に倣う形状となるように、中央部が内側に凹むように湾曲した曲面形状に設けられ、この連結板１６と帯状部材１７との間に筆記具Ｐを保持したときに、連結板１６の外面に筆記具Ｐが密着でき、これにより、筆記具Ｐの安定した保持が行えるようになっている。
【００１７】
前記筆記具Ｐは、図４に示されるように、挟持板１５の外面側に位置して当該挟持板１５と帯状部材１７との間に保持することも可能に設けられている。この場合、図１中矢印Ｒ方向に筆記具Ｐを回転させることによって当該筆記具Ｐの保持位置を変更することができる他、初めから、挟持板１５と帯状部材１７との間に筆記具Ｐを差し込んで配置することができる。
【００１８】
従って、このような実施例によれば、挟持板１５若しくは連結板１６の外面側に筆記具Ｐを保持した状態では、当該筆記具Ｐがノート１０の面内又は端縁延出方向に沿って位置することとなり、従来のように、筆記具Ｐが端縁の延出方向と直交する方向に大きく突出することがなくなり、ノート１０の持ち運び等に際して筆記具Ｐが邪魔になるという不都合を解消することができる。
【００１９】
また、挟持部材及び連結部材として、それぞれ板状の挟持板１５及び連結板１６を採用したから、ノート１０に対する装着状態を安定的に保つことが可能となりばかりでなく、筆記具Ｐに面接触して当該筆記具Ｐの保持も安定化させることができる。
【００２０】
なお、本発明における筆記具ホルダー１１は、図示構成例に限定されるものでなく、筆記具Ｐの保持姿勢を実施例と同様に保つことができれば、形状等を適宜変更することができる。
【００２１】
【発明の効果】
以上説明したように、本発明によれば、保持部材を、一方の挟持部材から連結部材、又は当該連結部材を回って他方の挟持部材に掛け回し、保持部材と挟持部材との間、及び保持部材と連結部材との間に筆記具を保持可能に設けたから、連結部材の外面側に筆記具を保持したときに、当該筆記具の軸線方向が被着体の端縁延出方向に一致する位置をとることになり、従来のように筆記具の軸線が被着体の端縁に対して直交する方向に突出することがなくなり、筆記具を一体に保持した状態で被着体を持ち運びする場合でも、筆記具が邪魔になるという不都合を解消することができる。また、この状態では、筆記具が被着体の面内に位置しないため、厚みを増さない状態となり、書棚に収納する際の不都合も解消される。更に、筆記具を挟持部材と保持部材との間に保持したときは、筆記具が被着体の面内に位置して当該被着体の外縁側に筆記具がはみ出ることがなくなり、被着体をかばん等に収納して持ち運ぶ場合に有利となる。
【００２２】
また、挟持部材又は連結部材の外面側が筆記具の外周形状に倣って凹む曲面形状に設けられているため、挟持部材と保持部材との間、又は連結部材と保持部材との間に筆記具を保持したときに、当該筆記具が曲面部分に収まるようになり、筆記具の軸線位置を安定的に保った保持が可能となる。
【００２３】
更に、挟持部材の内側に、被着体への装着時のガイド片を設けた構成では、一対の挟持部材が相互に接近する方向に弾性付与されて挟持力を発生するタイプとしたときに、被着体に無理なく筆記具ホルダーを装着することができる。
【００２４】
また、保持部材を伸縮可能な帯状部材により構成したから、筆記具の軸部分に対してある程度の広がりを持った面で締付力を付与しつつ保持できるようになり、筆記具の安定した保持を実現することができる。
【図面の簡単な説明】
【図１】実施例に係る筆記具ホルダーの使用状態を示す概略斜視図。
【図２】前記筆記具ホルダーの拡大斜視図。
【図３】図１のＡ−Ａ線に沿う概略拡大断面図。
【図４】筆記具の保持位置を代えた使用状態を示す概略斜視図。
【図５】図４のＢ−Ｂ線に沿う概略拡大断面図。
【図６】従来の筆記具ホルダーの使用状態を示す概略斜視図。
【図７】図６のＣ−Ｃ線に沿う概略断面図。
【符号の説明】
１０  ノート（被着体）
１１  筆記具ホルダー
１５  挟持板（挟持部材）
１６  連結板（連結部材）
１７  帯状部材（保持部材）
２２  ガイド片
Ｐ  筆記具
【図１】
0003551864.tif 000002
【図２】
0003551864.tif 000003
【図３】
0003551864.tif 000004
【図４】
0003551864.tif 000005
【図５】
0003551864.tif 000006
【図６】
0003551864.tif 000007
【図７】
0003551864.tif 000008